(57)【要約】【課題】電池パックの電動工具本体からの不意の外れを強く防止できる電動工具を提供する。【解決手段】モータ１４を有した駆動部３と工具を取り付ける出力部４と電池パック取付部５とを電動工具本体１に備え、電池パック取付部５に着脱機構を介して取り付けた電池パック２の給電によって駆動部３を駆動させて出力部４に出力動作を行わせる電動工具Ａである。上記着脱機構が、複数種類の全ての解除操作部６の操作によって電池パック２の電動工具本体１への保持解除を可能にする保持解除手段を備えている。【選択図】図１
2008132550.tif 000002
【特許請求の範囲】
【請求項１】
モータを有した駆動部と工具を取り付ける出力部と電池パック取付部とを電動工具本体に備え、電池パック取付部に着脱機構を介して取り付けた電池パックの給電によって駆動部を駆動させて出力部に出力動作を行わせる電動工具において、上記着脱機構が、複数種類の全ての解除操作部の操作によって電池パックの電動工具本体への保持解除を可能にする保持解除手段を備えて成ることを特徴とする電動工具。
【請求項２】
解除操作部が、電池パック、電動工具本体のそれぞれに配置されていることを特徴とする請求項１記載の電動工具。
【請求項３】
着脱機構には、電池パックの電動工具本体への保持を行うと共に各解除操作部に対応して保持解除が為される複数の保持部が備えられ、保持部に解除操作部の操作による電池パックの電動工具本体への保持解除状態を維持する解除状態維持手段を備えたことを特徴とする請求項１または２に記載の電動工具。
【請求項４】
着脱機構が、電池パック取付部への電池パックの導入動作によって電動工具本体への電池パックの本保持を行わせる保持誘導手段を備えて成ることを特徴とする請求項１乃至３のいずれか一項に記載の電動工具。
【請求項５】
電池パック取付部で取付状態にある電池パックに対して電池パックの電池パック取付部からの導出方向に付勢する弾性体が設けられて成ることを特徴とする請求項１乃至４のいずれか一項に記載の電動工具。
【請求項６】
電池パック取付部が下方に開口する空所であり、上記着脱機構が、電池パックを上方から吊持させた状態で電動工具本体に保持する第１保持部と、電池パックを下方から支えるように電動工具本体に保持する第２保持部とを有して成ることを特徴とする請求項１乃至５のいずれか一項に記載の電動工具。
【請求項７】
第２保持部の保持解除を行わせる第２解除操作部を有し、この第２解除操作部が電動工具本体の外面より内方に配置されていることを特徴とする請求項６に記載の電動工具。
【請求項８】
電池パックの電動工具本体への本保持が行われていないことを検知する検知部が設けられると共に、この検知部の検知に応じて出力部の出力制御を行う制御部が設けられて成ることを特徴とする請求項１乃至７のいずれか一項に記載の電動工具。
【発明の詳細な説明】
【技術分野】
【０００１】
本発明は、電動工具に関するものである。
【背景技術】
【０００２】
従来から、電動工具Ａは電動工具本体１に充電式の電池パック２を着脱自在に取り付けて構成されており、電池パック２の電動工具本体１への着脱機構としては、たとえば図１１のように、電池パック２の左右両側の対称位置に設けた一対の係止片３３を電動工具本体１の一対の係止凹所３６にそれぞれ独立して係止させる構造が採用されている。詳しくは、係止片３３は、一端に備えた爪部３４がバネ３５により係止凹所３６に係止する付勢がされており、他端部が構成する解除操作部６をバネ３５の付勢に抗って内方へ押圧することで、爪部３４の係止凹所３６への係止が解除されるようになっている。
【０００３】
この着脱機構にあっては、電動工具Ａをぶつけたりして一方の係止片３３の解除操作部６が押されたりして誤操作がされた場合には、他方の係止片３３の爪部３４が係止凹所３６に係止されたままにされるから、電池パック２の電動工具本体１からの落下は最悪免れ得るものであるが、たとえば電池パック２を慌てて把持した際の掴み動作によって一対の係止片３３の解除操作部６が押されて誤操作がされた場合には電池パック２の電動工具本体１からの落下は免れ得ないものであった。
【０００４】
このように、上記着脱機構は、取外し容易性を鑑みて、掴み動作にて操作し得る左右対称位置に配置された一対の解除操作部６、つまり一種類の解除操作部６によって、電池パック２の電動工具本体１からの取り外しを可能にしているから、電動工具Ａを慌てて把持した際の掴み動作による誤操作にて電池パック２が電動工具本体１から落下してしまう恐れは充分にあり、すなわち、電池パック２の電動工具本体１からの不意の外れを強く防止できるものではなかった。
【特許文献１】特開２００６−２６３８３０号公報
【発明の開示】
【発明が解決しようとする課題】
【０００５】
本発明は上記の点に鑑みてなされたものであり、その目的とするところは、電池パックの電動工具本体からの不意の外れを強く防止できる電動工具を提供することを課題とするものである。
【課題を解決するための手段】
【０００６】
上記課題を解決するために請求項１に係る電動工具にあっては、モータ１４を有した駆動部３と工具を取り付ける出力部４と電池パック取付部５とを電動工具本体１に備え、電池パック取付部５に着脱機構を介して取り付けた電池パック２の給電によって駆動部３を駆動させて出力部４に出力動作を行わせる電動工具Ａにおいて、上記着脱機構が、複数種類の全ての解除操作部６の操作によって電池パック２の電動工具本体１への保持解除を可能にする保持解除手段を備えて成ることを特徴とする。これによると、電動工具本体１の電池パック取付部５に電池パック２を取り付ける着脱機構が、複数種類の全ての解除操作部６の操作によって電池パック２の電動工具本体１への保持解除を可能にする保持解除手段を備えているので、電動工具Ａをぶつけたりして一の解除操作部６が誤操作されて電池パック２が電動工具本体１から外れてしまうことは勿論のこと、電動工具Ａを慌てて把持した際の掴み動作によって一種類の解除操作部６が誤操作されて電池パック２が電動工具本体１から外れてしまうことも防止できるのであり、電池パック２の電動工具本体１からの不意の外れを強く防止できる。
【０００７】
また、請求項２に係る電動工具にあっては、請求項１において、解除操作部６が、電池パック２、電動工具本体１のそれぞれに配置されていることを特徴とする。これによると、複数種の解除操作部６を比較的離れた位置に配置することができ、全ての解除操作部６が誤操作されて保持解除手段が誤作動される恐れを低減でき、電池パック２の電動工具本体１からの不意の外れ防止効果を向上できる。
【０００８】
また、請求項３に係る電動工具にあっては、請求項１または２において、着脱機構には、電池パック２の電動工具本体１への保持を行うと共に各解除操作部６に対応して保持解除が為される複数の保持部８が備えられ、保持部８に解除操作部６の操作による電池パック２の電動工具本体１への保持解除状態を維持する解除状態維持手段を備えたことを特徴とする。これによると、保持部８に解除状態維持手段を備えたことで、電池パック取付部５から電池パック２を取外すのには、複数種の解除操作部６を順次操作して複数の保持部８を順次保持解除状態にしていけばよく、電池パック取付部５からの電池パック２の取外し作業を簡便にできる。
【０００９】
また、請求項４に係る電動工具にあっては、請求項１乃至３のいずれか一項において、着脱機構が、電池パック取付部５への電池パック２の導入動作によって電動工具本体１への電池パック２の本保持を行わせる保持誘導手段を備えて成ることを特徴とする。これによると、保持誘導手段によって、電池パック取付部５への電池パック２の導入動作によって着脱機構による電動工具本体１への電池パック２の本保持が完了するので、電池パック取付部５への電池パック２の取付け作業を簡便にできる。
【００１０】
また、請求項５に係る電動工具にあっては、請求項１乃至４のいずれか一項において、電池パック取付部５で取付状態にある電池パック２に対して電池パック２の電池パック取付部５からの導出方向に付勢する弾性体７が設けられて成ることを特徴とする。これによると、電池パック２を電池パック取付部５から取外す際に弾性体７の付勢による幇助を受けることができ、電池パック取付部５からの電池パック２の取外し作業を簡便にできる。
【００１１】
また、請求項６に係る電動工具にあっては、請求項１乃至５のいずれか一項において、電池パック取付部５が下方に開口する空所であり、上記着脱機構が、電池パック２を上方から吊持させた状態で電動工具本体１に保持する第１保持部８ａと、電池パック２を下方から支えるように電動工具本体１に保持する第２保持部８ｂとを有して成ることを特徴とする。これによると、電池パック２を第１保持部８ａによる吊持と第２保持部８ｂによる下支えとによって電動工具本体１への保持することができ、電池パック２の電動工具本体１への保持状態における特に電池パック２の落下に対する信頼性を高めることができる。
【００１２】
また、請求項７に係る電動工具にあっては、請求項６において、第２保持部８ｂの保持解除を行わせる第２解除操作部６ｂを有し、この第２解除操作部６ｂが電動工具本体１の外面より内方に配置されていることを特徴とする。これによると、対応する操作釦部２５と保持部８とは構成の簡略化を図って近接位置に配置される傾向にあり、この傾向によると電池パック２を下方から支える第２保持部８ｂの近傍に第２解除操作部６ｂを配置する場合には電動工具本体１の外面の特に底面に配置されるのであるが、上述のように第２保持部８ｂに対応する第２解除操作部６ｂが電動工具本体１の外面より内方に配置されると、電動工具Ａの底面を載置面等に置いた際にも第２解除操作部６ｂの誤操作を回避することができる。
【００１３】
また、請求項８に係る電動工具にあっては、請求項１乃至７のいずれか一項において、電池パック２の電動工具本体１への本保持が行われていないことを検知する検知部１０が設けられると共に、この検知部１０の検知に応じて出力部４の出力制御を行う制御部９が設けられて成ることを特徴とする。これによると、電池パック２の電動工具本体１への本保持が行われていないことを検知部１０で検知した際には制御部９によって電動工具Ａの使用者に分かり易い出力部４の出力を無くしたり低下させたりする制御を行わせることができ、電池パック２の電動工具本体１への本保持が為されていないことを電動工具Ａの使用者に分かり易く認識させて、使用者に電池パック２の電動工具本体１への本保持を促すことができるから、電池パック２の電動工具本体１への強固な取付け維持を図ることができる。
【発明の効果】
【００１４】
本発明にあっては、電池パックの電動工具本体からの不意の外れを強く防止できる、という利点を有するものである。
【発明を実施するための最良の形態】
【００１５】
以下、本発明を添付図面に示す実施形態に基いて説明する。
【００１６】
本実施形態の電動工具Ａは、図１乃至１０のように、インパクトドライバー等の電動工具本体１と、この電動工具本体１に着脱機構を介して着脱自在に装着される電池パック２とを備えて構成される。
【００１７】
電動工具本体１は、水平円筒状の工具本体部１１と、工具本体部１１の後端側から下方に垂設したグリップ部１２と、工具本体部１１の前部近傍の下方に設けた電池パック取付部５と、電池パック取付部５及びグリップ部１２の各下端を連結する略水平な連結部１３とを備えたハウジングを有している。ここで、便宜上、工具本体部１１に取り付ける工具の突出方向を前方（矢印ａ）と称し（その反対方向を後方（矢印ｂ）と称する）、工具本体部１１からのグリップ部１２の突出方向を上方（矢印ｃ）と称し（その反対方向を下方（矢印ｄ）と称する）、上記上下方向及び前後方向にそれぞれ直交する方向を左右方向または側方（矢印ｅ）と称して説明をしていく。
【００１８】
工具本体部１１には、その前方側から、工具を着脱自在に取り付ける出力部４、出力部４を駆動させる駆動部３を順に備えている。駆動部３には、電池パック２から給電されて駆動するモータ１４や、モータ１４の駆動出力を出力部４に適した出力動作に変換して伝達する減速機構等の伝達機構１５が設けられている。グリップ部１２にはトリガー式のスイッチハンドル１６が設けられており、モータ１４の駆動制御を制御部９を介して行わせている。また、電池パック取付部５は、電池パック２が着脱自在に取り付けられる部位であり、前方、側方及び下方に開口せる空所とされている。つまり、ハウジングには、電池パック取付部５に臨む取付天面部５ａ及び取付後面部５ｂが形成されている。取付天面部５ａには後述の電池パック２の装着台部２７が収められる取付凹み部１７が凹設されている。ここで、取付凹み部１７の天内面部には本体側給電端子１８ａと本体側制御端子１９ａとが下方に突設されている。本体側給電端子１８ａや本体側制御端子１９ａはハウジング内に配線されたリード線により制御部９に接続されている。また、取付凹み部１７の側内面部には水平板状の係止凸部２０が突設されている。本例では前後に間隔を隔てて３つの係止凸部２０が設けられている。また、取付後面部５ｂには、板バネで構成された弾性体７が、自然状態で電池パック取付部５に突出するように設けられている。また、連結部１３の底面には下方へ開口せる底面凹み部２１が凹設され、この底面凹み部２１を塞ぐように係止片２２がバネ２３を介して取り付けられている。詳しくは、係止片２２は、その前後中央部で電脳工具本体１に上下に回転可能に枢支され、バネ２３の付勢によって、上方へ突出する爪部２４を備えた前端部分を電池パック取付部５に突出させた状態で、且つ、係止片２２が連結部１３の底面よりもやや上方位置で連結部１３の底面と略平行になるような状態になるように取り付けられている。そして、この係止片２２は、その後部に設けた操作釦部２５をバネ２３の付勢に抗って底面凹み部２１内で上方へ押し込むことで、爪部２４のある前端が下方へ回動移動できるようにされている。
【００１９】
電池パック２は、電池収納部２６の上面に装着台部２７を突設して形成されている。電池収納部２６内には複数の充電池２８が横倒し状態で前後に並べて且つ上下２段に配列した状態で収納されている。本例では充電池２８としてはリチウムイオン電池が用いられている。装着台部２７には電池側給電端子１８ｂや電池側制御端子１９ｂが設けられている。また、装着台部２７の左右の側面には上方に開口した縦溝部２９ｂと縦溝部２９ｂの下端から前方へ屈曲する横溝部２９ａとで成る逆Ｌ字状の係止溝部２９が設けられている。また、一の係止溝部２９（本例では前端の係止溝部２９）における縦溝部２９ｂと横溝部２９ａとの角部には係止溝部２９を開閉する係合突起３０が突没自在に配置されている。この係合突起３０は、図示しないバネの付勢によって自然状態で上方へ突出して係止溝部２９を閉塞する状態にされ、電池パック２の前面に設けた操作釦部３１を使用者が押し下げることで電池収納部２６の上面から電池収納部２６の内部に没入して係止溝部２９を開放状態にするようにされている。また、電池パック２の底面の後部には下方へ開口せる係止凹部３２が凹設されている。詳しくは、係止凹部３２は電池パック２の底面から後斜め上方へ凹設されている。なお、爪部２４は係止片２２から後斜め上方へ向けて突出しており、後述の後方へスライド移動してくる電池パック２に設けた係止凹部３２への挿入をスムーズに行なわせると共に、係止凹部３２に一旦係止された後には電池パック２を前方及び下方に移動規制するように強固に引掛け係止できるようになっている。
【００２０】
電池パック２の電池パック取付部５への取り付けは、まず、電池パック２を電池パック取付部５に近接させて係止凸部２０を係止溝部２９の縦溝部２９ｂに挿入して係止凸部２０で係合突起３０を電池パック２内（電池収納部２６内）に押込み、そして、電池パック２を後方へスライドさせ、係止凸部２０を係止溝部２９の横溝部２９ａの奥方（前方）へ移動させる。横溝部２９ａに移動した係止凸部２０は係合突起３０の押込みを解除させるから、バネの付勢により突出状態に復帰した係合突起３０によって係止溝部２９は閉塞状態になり、この係合突起３０によって係止凸部２０は係止溝部２９の横溝部２９ａに収まった状態で抜け止めが施された係合状態となる（図２）。つまり、電池パック２は、係合突起３０による係止凸部２０の係止溝部２９への係合によって電動工具本体１に吊持された状態で、電池パック取付部５に取付けされた状態となる。なお、このときには、図１０のように栓刃で構成された本体側給電端子１８ａが刃受け溝で構成された電池側給電端子１８ｂに挿入されて接続された状態となる。また詳しくは、上記係止凸部２０の係止溝部２９への係合状態や本体側給電端子１８ａの電池側給電端子１８ｂへの接続状態は前後方向に多少の遊びを有した状態とされている。そして、この状態からは図７（ａ）〜（ｃ）のように、電池パック２の後面にて弾性体７を後方へ押込むようにして、更に電池パック２を後方にスライドさせると（矢印Ａ）、電池パック２の後面後部が一旦係止片２２の爪部２４をバネ２３の付勢に抗って下方へ回動させた後に（矢印Ｂ）、バネ２３の弾性復帰による係止片２２の上方回動動作によって係止片２２の爪部２４が係止凹部３２に引掛け係止される（矢印Ｃ）。つまり、電池パック２は、上方に回動付勢のかかった係止片２２の爪部２４による係止凹部３２への係止によって下方から支えられた状態で、電動工具本体１に取付けされた状態となる。このときには、図９のように栓刃で構成された本体側制御端子１９ａが刃受け溝で構成された電池側制御端子１９ｂに挿入されて接続された状態となり、電池パック２が電動工具本体１に正常に取付けられた状態（本保持状態）となる（図１）。
【００２１】
電池パック２の電池パック取付部５からの取外しは、まず図８（ａ）〜（ｃ）のように、使用者が係止片２２の操作釦部２５をバネ２３の付勢に抗って上方へ押込み(矢印Ｄ)、係止片２２の爪部２４の係止凹部３２での係止状態を解除する。このときには、弾性復帰した弾性体７によって電池パック２が前方へスライドされ（矢印Ｅ）、図１０のように本体側制御端子１９ａが電池側制御端子１９ｂから外れて非接続状態となる。制御部９には、本体側制御端子１９ａが電池側制御端子１９ｂから外れて電池パック２からの制御信号が遮断されたことを検知できる検知部１０が内臓されており、検知部１０で電池パック２からの制御信号が遮断されたことを検知した際に制御部９では、モータ１４を強制停止させたりその駆動出力を極端に落としたりする駆動部３への駆動制御を行い、出力部４での出力の変化によって使用者に対して電池パック２が電動工具本体１への正常取付け状態に無いことを報知するようにされている。なお、この時点では係合突起３０による係止凸部２０の係止溝部２９への係合状態は維持されている（図２）。次いで、電池パック２の前面の操作釦部３１をバネの付勢に抗って下方へ押込み、係合突起３０を電池パック２内に没入せしめて係止溝部２９を開放状態にした状態で、電池パック２を更に前方へスライドさせるのであり、これにより、係止凸部２０が横溝部２９ａから縦溝部２９ｂを経るように移動して係止溝部２９から外れるのであり、係止凸部２０の係止溝部２９への係合状態が解除される。このときに本体側給電端子１８ａが電池側給電端子１８ｂから外れて非接続状態となり、電池パック２が電動工具本体１から完全に外れた状態となる。
【００２２】
叙述のように電池パック２は着脱機構を介して電動工具本体１に着脱自在に取り付けられる。すなわち本例の着脱機構は、係合突起３０による係止凸部２０の係止溝部２９への係合構造によって電池パック２を電動工具本体１に保持して成る第１保持部８ａと、係止片２２の爪部２４の係止凹部３２への係止構造によって電池パック２を電動工具本体１に保持して成る第２保持部８ｂとを有している。詳しくは、電池パック取付部５の上部に配設された第１保持部８ａは電池パック２を上方から吊持させた状態で電動工具本体１に保持しており、電池パック取付部５の下部に配設された第２保持部８ｂは電池パック２を下方から支えるように電動工具本体１に保持している。つまり、電池パック取付部５は下方に開口する空所であるが、上記のように電池パック２を第１保持部８ａによる吊持と第２保持部８ｂによる下支えとによって電動工具本体１に保持しているため、電池パック２の電動工具本体１への保持状態における特に電池パック２の落下に対する信頼性の向上が図られている。更に言うと、本例では第２保持部８ｂによる下支えを受けた電池パック２の装着台部２７の上面は電池パック取付部５の取付天面部５ａに当接するようになっており、つまり、電池パック２は第２保持部８ｂの係止片２２と電池パック取付部５の取付天面部５ａとの間に挟持された構造となっており、電池パック２の上下方向のガタツキも防止されている。
【００２３】
また、電池パック２の電動工具本体１への取付け動作における第１保持部８ａ及び第２保持部８ｂによる電池パック２の電動工具本体１への保持動作は、係止凸部２０が係止溝部２９の横溝部２９ａによって前後方向へのスライドガイドを受けることによる電池パック取付部５への電池パック２の導入動作（電池パック２の後方へのスライド動作）によって、順次行われるようにされている。すなわち、着脱機構は、係止溝部２９の横溝部２９ａによる係止凸部２０のスライド規制構造にて構成される保持誘導手段を備えており、これにより電池パック取付部５への電池パック２の導入動作によって電動工具本体１への電池パック２の本保持が完了するようになっているので、電池パック取付部５への電池パック２の取付け作業の簡便さの向上が図られている。
【００２４】
また、本例の着脱機構では、第１保持部８ａは電池パック２の前面に配置された操作釦部３１で構成された第１解除操作部６ａの操作によって保持解除が為され、第２保持部８ｂは電動工具本体１の底面に配置された係止片２２の操作釦部２５で構成された第２解除操作部６ｂの操作によって保持解除が為されるのであり、全ての解除操作部６（第１解除操作部６ａ、第２解除操作部６ｂ）の操作によってはじめて電池パック２の電動工具本体１への保持の解除が可能にされる保持解除手段が採用されている。ここで、第１解除操作部６ａは電池パック２の前面に配置されて且つ下方への押込み操作によって解除操作がされるものであり、第２解除操作部６ｂは電動工具本体１の底面に配置されて且つ上方への押込み操作によって解除操作がされるものであり、つまり、各解除操作部６の間には、従来のように掴み動作で操作可能にする対になる位置関係も操作方向も有するものではなく、すなわち位置関係や操作方向には何らの幾何学的な規則性（対称、対向関係等）を有するものでなく、各解除操作部６はいわば種類の異なるものである。このように、着脱機構には複数種類の解除操作部６（本例では第１解除操作部６ａ、第２解除操作部６ｂの２つ）を有し、複数種類の全ての解除操作部６の操作にて電池パック２の電動工具本体１への保持解除可能にする保持解除手段を備えているので、電動工具Ａをぶつけたりして一の解除操作部６が誤操作されて電池パック２が電動工具本体１から外れてしまうことは勿論のこと、電動工具Ａを慌てて把持した際の掴み動作によって一種類の解除操作部６が誤操作されて電池パック２が電動工具本体１から外れてしまうことも防止できるのであり、電池パック２の電動工具本体１からの不意の外れが強く防止されているものである。更に言うと、上述のように各解除操作部６が、電池パック２、電動工具本体１のそれぞれに配置されている点も、各解除操作部６を片手で操作しにくい比較的離れた位置に配置する工夫の表れであり、全ての解除操作部６が誤操作されて保持解除手段が誤作動される恐れを低減して、電池パック２の電動工具本体１からの不意の外れ防止効果の向上が図られているのである。
【００２５】
なお、電池パック取付部５に電池パック２が取り付けされた状態では、電池パック２の外面が電動工具本体１の外面と略連続するようにされている。つまり、電池パック２の底面は電動工具本体１の底面（連結部１３の底面）に略面一となるように連続して電動工具Ａの底面を構成するようになり、また電池パック２の側面は電動工具本体１の側面に略面一となるように連続して電動工具Ａの側面を構成するようになり、また、電池パック２の前面は前方に面して電動工具Ａの前面を構成するようになっている。ここで、各解除操作部６は電池パック２の外面よりやや内側に位置して（外方へ突出しない状態で）配置されており、電動工具Ａをぶつけたり誤って落下させたりした際にも解除操作部６が押圧され誤操作されることを極力防止できるようにしている。特に第２解除操作部６ｂは載置面に置かれる電動工具本体１の底面に配置されているが、上述のように第２保持部８ｂに対応する第２解除操作部６ｂが電動工具本体１の外面より内方に配置されているので（図７（ｃ）や図８（ａ）参照）、電動工具Ａの底面を載置面等に置いた際にも第２解除操作部６ｂの誤操作の回避が図られている。
【００２６】
また、叙述のように着脱機構は保持解除手段を備えて全ての解除操作部６の操作無しには電池パック２を電動工具本体１から取外せないようにされているが、全ての解除操作部６を同時に操作すること無く順次操作することを可能にすることで、電池パック２の電動工具本体１からの取外し作業を簡便にしている。すなわち、取外し作業の最後に操作する解除操作部６以外の解除操作部６（本例では第２解除操作部６ｂが相当）に対応する保持部８（本例では第２保持部８ｂが相当）には、解除操作部６の操作によって一旦電池パック２の電動工具本体１への保持解除がされればこの状態を維持するという解除状態維持手段が備えられている（図８（ｃ）参照）。本例の解除状態維持手段は、係止片２２の爪部２４が係止凹部３２から外れた際に電池パック２を移動させて係止凹部３２を爪部２４の係止位置からずらすように機能する上記弾性体７によって構成されている。これにより電池パック取付部５から電池パック２を取外すのには複数種の解除操作部６を順次操作していけばよく、電池パック取付部５からの電池パック２の取外し作業を簡便にできたものである。なお、本例の上記弾性体７は、電池パック２を電池パック取付部５から取外す方向である電池パック２の電池パック取付部５への導出方向（前方）に電池パック２を付勢するものであるから、電池パック２を前方にスライドさせて電池パック取付部５から取外す際に弾性体７の付勢による幇助を受けることができ、この点でも電池パック取付部５からの電池パック２の取外し作業の簡便さが向上されている。なお、弾性体７は電池パック２の電池パック取付部５から取外し作業の間継続して電池パック２を付勢するようにしてもよく、この場合には弾性体７の付勢による幇助をより受けることができて好ましい。更に言うと、この弾性体７は電池パック取付部５に取付状態にある電池パック２を付勢し続けるものであるから、電池パック取付部５に取付状態にある電池パック２の前後方向へのガタツキを防止する機能も有する。
【００２７】
また、叙述のように本例の電動工具Ａでは、図１０のように本体側制御端子１９ａが電池側制御端子１９ｂから外れて電池パック２からの制御信号が遮断されたことを制御部９に内臓した検知部１０で確認した際には制御部９によりモータ１４を強制停止させたりその駆動出力を極端に落としたりして、出力部４の出力を変化させて使用者に対して電池パック２が正常に電動工具本体１に取り付けられていないことを報知するようにされている。つまり、第１保持部８ａは保持状態を維持しているが第２保持部８ｂが保持解除されている不完全な電池パック２の電動工具本体１への取付状態（仮保持状態、図２参照）にある場合には、検知部１０及び制御部９の協働によって、電動工具Ａを使用している使用者に分かり易い出力部４の出力を低下させるといったかたちで、電池パック２の電動工具本体１への本保持が為されていないことを電動工具Ａの使用者に認識させて、使用者に電池パック２の電動工具本体１への本保持を促すようにした工夫も施されており、電池パック２の電動工具本体１への強固な取付け維持が図られている。
【００２８】
なお上記実施形態では着脱機構としては２つの保持部８と２つの解除操作部６を有した例を例示したが、保持部８の個数は２つに限らず任意個数でよく、また解除操作部６の個数も２つに限らず複数種有するのが好ましい。すなわち、着脱機構に、複数種類の全ての解除操作部６の操作にて電池パック２の電動工具本体１への保持解除可能にする保持解除手段を備えていれば、電池パック２の電動工具本体１への取付状態において解除操作部６の個数が増せばより多くのロックがかかった状態となり、電池パック２の電動工具本体１からの不意の外れ防止効果を向上できるのは言うまでもない。
【図面の簡単な説明】
【００２９】
【図１】本発明の実施の形態の例の電動工具（電池パックの電動工具本体への本保持状態）の側面断面図である。
【図２】同上の電動工具（電池パックの電動工具本体への仮保持状態）の側面断面図である。
【図３】同上の電動工具の斜視図である。
【図４】同上の電動工具の分解斜視図である。
【図５】同上の電動工具本体の下方から見た斜視図である。
【図６】同上の電池パックの斜視図である。
【図７】（ａ）（ｂ）（ｃ）は同上の電池パックの電動工具本体への取付け作業を順に説明する要部の断面図である。
【図８】（ａ）（ｂ）（ｃ）は同上の電池パックの電動工具本体への取外し作業を順に説明する要部の断面図である。
【図９】同上の電動工具（電池パックの電動工具本体への本保持状態）の要部の側面断面図である。
【図１０】同上の電動工具（電池パックの電動工具本体への仮保持状態）の要部の側面断面図である。
【図１１】従来技術の例の電動工具であり、（ａ）は全体の側断面図であり、（ｂ）は（ａ）のＦ−Ｆ線断面図である。
【符号の説明】
【００３０】
１  電動工具本体
２  電池パック
３  駆動部
４  出力部
５  電池パック取付部
６  解除操作部
６ａ  第１解除操作部
６ｂ  第２解除操作部
７  弾性体
８  保持部
８ａ  第１保持部
８ｂ  第２保持部
９  制御部
１０  検知部
【図１】
2008132550.tif 000003
【図２】
2008132550.tif 000004
【図３】
2008132550.tif 000005
【図４】
2008132550.tif 000006
【図５】
2008132550.tif 000007
【図６】
2008132550.tif 000008
【図７】
2008132550.tif 000009
【図８】
2008132550.tif 000010
【図９】
2008132550.tif 000011
【図１０】
2008132550.tif 000012
【図１１】
2008132550.tif 000013